(57)【特許請求の範囲】
【請求項１】
捕獲されるべき光学画像のディジタル表現を提供する画像センサと、
前記光学画像の前記ディジタル表現を選択的に処理して、前記光学画像の線形収束歪みを補償するように構成されるプロセッサと
を備え、
前記プロセッサは、前記光学画像において識別される垂直方向に延びる線分からのずれを識別し、これに応じて線形歪み値を決定し、該線形歪み値に基づいて、前記ディジタル表現を二次元で漸進的に拡大して見た目の線形収束を低減するように構成され、
前記光学画像の横方向に延びる基準基部幅と頂部幅との長さをそれぞれＬ１とＬ２とし、前記基準基部幅から前記頂部幅までの高さをＨとし、前記基準基部幅の端部と前記頂部幅の対応する端部とを結ぶ線分の長さをＸとしたときの、倍率＝（Ｘ／Ｈ）×（Ｌ１／Ｌ２−１）＋１の関係式を用いて前記倍率を算出し、該算出した倍率で前記光学画像を縦方向に拡大した中間画像を生成し、該中間画像における前記頂部幅の長さが前記基準基部幅の長さと等しくなるまで、該基準基部幅の長さを固定した状態で、前記中間画像を横方向に拡大する、ディジタルカメラ。
【請求項２】
前記プロセッサは、第１軸に沿って前記第１軸に直交する第２軸に対して前記光学画像の前記ディジタル表現に変動倍率を適用するように構成されることを特徴とする請求項１記載のディジタルカメラ。
【請求項３】
前記第１軸及び前記第２軸は、前記光学画像が形成された前記画像センサの撮像表面により定義される面に対応することを特徴とする請求項２記載のディジタルカメラ。
【請求項４】
前記倍率の手動制御を提供するように構成される入力デバイスを備えることを特徴とする請求項２記載のディジタルカメラ。
【請求項５】
前記入力デバイスは前記第１軸及び前記第２軸の手動による位置決めを提供するように構成されることを特徴とする請求項４記載のディジタルカメラ。
【請求項６】
前記プロセッサによる処理の前後に前記光学画像を表示するディスプレイを備えることを特徴とする請求項４記載のディジタルカメラ。
【発明の詳細な説明】
【０００１】
【発明の属する技術分野】
本発明はディジタル撮像に関する。特に、本発明は光学画像における垂直線歪み（縦方向収束、converging verticals）などのパースペクティブ歪みの補正に関する。
【０００２】
【従来技術及びその課題】
建造物の写真を撮影する際に存在する、建築写真において見られる共通の問題は、平行線が一端に収束するように見えるというパースペクティブ歪みのために下から見上げると上すぼまりに見える（見下ろした場合は下すぼまり）結果、建造物の像が歪んでしまうことである。また、建物の壁面などを斜めから撮影することによるパースペクティブ歪みも同様に問題になることがある。垂直線歪みなどのパースペクティブ歪み（以下、垂直線歪みで代表させる）は、撮影されるべき物体の面がカメラの後部にあるフィルム面と平行でない場合に発生する。垂直線歪みの問題は、撮影者が広角レンズを使用し、さらに建造物全体の像を捉えようとして建造物を見上げて撮影する際に特に顕著である。
【０００３】
従来、垂直線歪みの問題に対処するための方法がいくつか案出されてきた。たとえば、３５ｍｍカメラを使用する場合、縦歪みを補正する技術として、撮影の際にチルト及びシフトレンズを使用するものがある。当業者なら理解できるように、チルト及びシフトレンズを使用することに伴う主な欠点はその費用であり、チルト・シフトレンズの価格はほとんどのアマチュア写真家にとって法外なものである。チルト及びシフトレンズを使用することによる別の欠点は、このようなレンズは実際のところ建築写真における用途にしか適さず、いずれにしても使用することが困難であるということである。
【０００４】
垂直線歪みを回避する別の一般的な解決法はビューカメラを使用することである。ビューカメラでは、可撓性の蛇腹を使って背面のフィルムバックに取り付けられるレンズボードにレンズがマウントされる。カメラとフィルムバックを傾けて所望の対象の建築物をフレーミングするのではなく、撮影者は、フィルムバックを対象の建築物の面、たとえば、撮影されるべき建造物の正面と平行に維持する。次に、レンズによって投影されるイメージサークルの所望の位置までフィルムバックが来るようにレンズとフィルムバックを相対的に平行移動する（レンズを上方に平行移動する場合はライズするという；また水平線の同様なパースペクティブ歪みを補正する際にはレンズを水平方向に平行移動するが、これはシフトするという）ことによって、像がフィルム領域内でフレーミングされる。このような調節をサポートするため、可撓性のある遮光性の蛇腹によりレンズボードとフィルムバックが独立して動けるようにする。
【０００５】
また、従来、垂直線歪みの問題を撮影後に補正しようともしてきた。従来、引伸し機のヘッドをチルトする（つまり印画紙面に対する引伸ばしレンズの光軸の角度を傾ける）ことにより、あるいはプリント用イーゼルをチルトすることによって、フィルムを引伸ばす過程で、垂直線歪みを補正しようとした技術者もいた。これらの技術にはいくつかの欠点があった。たとえば、この収束を補正するのに十分正確に引伸し装置のヘッドをチルトすること、あるいは、イーゼルのチルトを制御することは、白黒写真の現像の際の仄かな光の中では極めて困難であり、更に、カラー写真の現像の際の完全な暗闇の中では不可能と言ってもよい。さらに、引伸し装置のヘッドまたはイーゼルをティルトすることは、印画紙の一方の縁を他方の縁に近づけることを意味するため、ピント合わせの問題を引き起こすおそれがあった。同様に、印画紙の一方の縁を他方より引き延ばし装置に近づけると、その縁の受光量が多くなり、過度に露光されてしまう。
【０００６】
また、ディジタル技術を利用して写真の遠近感を補正しようとした技術者もいた。矩形領域を任意の四辺形にマッピングすることが可能なある種の「歪み」ツールを有する種々のソフトウェアパッケージを使用することで、垂直線歪みの補正を試みることができる。各種のソフトウェアパッケージを使用したディジタル補正の説明については、http://photocritique.net/articles/converging/converging.html（２０００年１０月２６日に訪問）に記載されている。市販のソフトウェアパッケージを使用してディジタル圧縮を行う際の欠点は多数ある。たとえば、市販のソフトウェアを使用する場合、ユーザは、そのソフトウェアを動作させることのできるコンピュータシステムを持っていなければならず、さらに写真を完全に現像した後でスキャナによりコンピュータシステムに入力してこのシステムに写真のディジタル表現を提供する必要がある。これらの器材は手が出ないほどに高価であることがある。さらに、写真を現像してコンピュータシステムに取り込んで編集（及びその後、補正された画像を保存）した後で垂直線歪みをディジタル補正しようとすることにより、ディテールが損なわれる場合がある。あるいは、ディジタルカメラならディジタル化された画像を直接提供できるが、このような画像はしばしば情報の損失のあるアルゴリズムを使って保存されているので、その後に画像操作を行うと望ましくない画像アーティファクトを生じてしまう。
【０００７】
上記では、光学画像における垂直線歪みの補正に伴う課題及び制限の一部に焦点を当てて説明している。
【０００８】
【課題を解決するための手段】
本発明は、光学画像における垂直線歪みをディジタル補正するシステム及び方法を含む。より具体的には、本発明は、画像縮小係数（すなわち、画像の位置に対する収束量を示す一次元または二次元の係数あるいは関数）を求め、またこれを用いて見た目の収束歪みを低減することができるディジタル撮像装置に関し、さらに、撮像される光学画像の歪みを補償することが可能なディジタルカメラに関する。
【０００９】
本発明の一態様によれば、ディジタルカメラは、光学画像の歪みを補償するように構成されることが好ましい。ディジタルカメラは、光学画像を提供する光学レンズ系と、光学画像のディジタル表現を提供する画像センサと、光学画像のディジタル表現を選択的に処理して光学画像の歪みを補償するように構成されるプロセッサを含むことができる。
【００１０】
本発明の別の態様によれば、ディジタルカメラのプロセッサは、第１軸に沿って、この第１軸に直交する第２軸に対して光学画像のディジタル表現に変動倍率を適用するように構成されるのが好ましい。本発明の本態様によれば、第１及び第２の各軸は、光学レンズ系によって光学画像が形成された画像センサの撮像表面により定義される面に対応する。
【００１１】
本発明の別の態様によれば、ディジタルカメラは、倍率の手動制御を提供するように構成される入力装置をさらに備えることが好ましい。本発明の本態様によれば、さらに入力装置は、その周りで拡大補正が測定されて適用される軸の手動による位置決めを提供するように構成されることができる。
【００１２】
本発明の別の態様によれば、ディジタルカメラは、ディジタル表現に応答して、プロセッサにより処理された光学画像を表示するディスプレイをさらに備えることが好ましい。
【００１３】
本発明の別の態様によれば、カメラプロセッサが可変アスペクト比を光学画像に適用して、レンズ系により画像センサ上に形成される光学画像の線形収束歪みを補償するように構成された上述のディジタルカメラを提供することが好ましい。本発明の本態様によれば、プロセッサは、光センサの撮像表面を光学画像の少なくとも一部に対応する対象物に対して配向することによって発生する線形歪みを補償するように構成可能である。
【００１４】
本発明の別の態様によれば、好ましくは光学画像のディジタル表現を記憶する記憶媒体をさらに備える上述のディジタルカメラが提供される。
【００１５】
本発明の別の態様によれば、好ましくはディジタル表現に応答して、プロセッサにより処理された光学画像を表示するディスプレイをさらに備える上述のディジタルカメラが提供される。本発明の別の態様では、プロセッサが、好ましくは基線に対する線形歪み値を決定し、かつディジタル表現を（一次元または二次元的に）漸進的に拡大していくことにより見た目の線形収束を低減するように構成される上述のディジタルカメラを提供する。本発明の本態様によれば、プロセッサは、光学画像において識別される線分の縦線からのずれを識別し、これに応じて線形歪み値を決定するように構成可能である。また、本発明の本態様によれば、プロセッサは、光学画像中で識別された２本の線分の間での長さの違いを識別して、これに応じて線形歪み値を決定するように構成可能である。
【００１６】
本発明の別の態様では、好ましくは撮像センサの撮像部に投影される画像のディジタル表現を提供する撮像センサを備えたディジタル撮像装置を提供する。光学レンズ系は、この撮像部に対象物の像を形成するように構成される。プロセッサは、画像空間縮小係数を識別し、この像のディジタル表現について選択された線形領域に亘って像のディジタル表現の少なくとも一部を漸進的に拡大して見た目の収束歪みを低減する。本発明の本態様によれば、当該装置は、カメラ本体に撮像センサと、光センサと、プロセッサとを搭載し、このカメラにディスプレイを実装して画像のディジタル表現の視覚表示を提供するように構成し、画像のディジタル表現を記憶するように構成される不揮発性メモリをさらに含むことができる。本発明の一態様において、プロセッサは、情報の損失のある画像圧縮技術を用いて画像のディジタル表現を圧縮し、この圧縮画像データを提供及び記憶するように構成される。
【００１７】
【発明の実施の形態】
全体として、本発明は、垂直線歪みをディジタル補正する装置及び方法に関する。
【００１８】
本発明の装置は、損失のある圧縮を行った後、または好ましくは損失のある圧縮を行う前に歪みを補正することが可能である。この装置は、スタンドアロン式装置、ＰＣコンピュータソフトウェアアプリケーションとすることが可能であり、あるいはカメラ等別の装置と一体化してもよい。本明細書において、上記装置はディジタルカメラの一部として具体化されるが、本発明はディジタルカメラに制限されると考えられるべきではなく、静止画及び「動画」の両方とともに使用可能である。
【００１９】
図１に示すように、被写体である建造物１０１等、撮像装置により撮像される被写体は、形状及び外観が略矩形である場合がある。建造物の像は、サイズが一定であるという人間の認識的知覚によっては調整されない距離効果に基づいて縦線が多少収束する可能性がある以外、人間の目には矩形に見える。
【００２０】
建造物の像は光学装置により撮像可能である。当業者に理解されるように、通常、カメラ等の撮像装置により地上で像を撮像しようとするビューワは、装置の視野で建造物１０１の上部を捉えるために装置を上に傾ける必要がある。このように装置を傾けることにより、建造物１０１の歪んだ画像１０２が装置の撮像表面に形成される。
【００２１】
建造物１０１の歪んだ画像１０２は、先へ行くに連れて縦方向及び多少なり横方向にだんだんと縮小する、すなわち収束する四辺の台形状の外観を持つことを特徴とする。この歪みは、多くの場合「垂直線歪み(converging verticals)」と呼ばれる。本明細書で使用される「垂直線歪み」は、平行線が平行に見えない現象を示すためのものである。通常、このような線は収束するように見えるが、ある状況では広がるように見える場合もある。
【００２２】
当業者なら理解できるように、この光学的現象は、２つの視覚的または光学的効果を併せたものである。第１の効果は、光学素子（カメラのフィルム面またはディジタルカメラのＣＣＤ画像センサ等）の撮像表面が、この撮像表面に投影される対象の物体の面と平行でないことによって発生し、これにより撮像表面の傾きと比例して像が収束して見えてしまう。
【００２３】
第２の効果は、撮像の際にレンズを使用することによる。たとえば、人間の目はレンズを使用して画像に焦点を合わせる。高層の建造物等の大きな物体の歪みは、自然な消失点の一部である。たとえば、観察者にとって、鉄道線路は、地平線上で収束するように見える。このような収束は像の歪みではなく、その物体が近づくほど観察者にとって大きく見える一方、遠くにあるほど小さく見えることを表しているにすぎない。同様のことがカメラ、双眼鏡、望遠鏡及びレンズを用いて画像に焦点を合わせる同様の装置にもいえる。しかしながら、この効果は、「垂直線歪み」の現象に寄与するように考えられる。パルテノンの円柱の一部（特に、端部の円柱）は、人間の目の「垂直線歪み」の作用により遠くから見たときに建造物が崩壊しているように見えないように意図的に傾斜させたといわれている。
【００２４】
歪んだ画像１０２は垂直線歪みの歪み効果を有し、これが、補正された画像１０３を生成するように本明細書に記載される本発明の装置及び方法を使用することによって補償される。
【００２５】
図２に示すように、「垂直線歪み」現象により生じる横及び縦方向の縮小歪みを補正する方法は２通りある。図２の被写体の建造物２０１は、図１の建造物１０１よりはるかに高層であり、撮像装置は図１に比べて建造物の基部にずっと近い。このため、被写体の建造物２０１の面に対する撮像表面の面の傾斜は非常に顕著であり、その結果、非常に歪んだ画像２０２が得られる。
【００２６】
非常に歪んだ画像２０２は、急激に収束する縦線及び高さが見た目に劇的に縮小していることを特徴とする。画像２０２は、本明細書において「Ｈ」で表される高さ２０７と、長さＬ１の基準幅である基部幅２０３と、Ｌ２の長さの縮小された頂部幅２０４とを有する。また、画像２０２はまた、それぞれ長さが「Ｘ」の第１及び第２の収束する縦方向の直線２０５、２０６を有する。
【００２７】
歪みを補正する第１の方法では、まず縦方向または高さ方向の補正を行って縦方向に拡大された中間画像２０８を得る。ここで縦方向の倍率は以下の数式により決定される。
倍率＝（Ｘ／Ｈ）×（Ｌ１／Ｌ２−１）＋１
【００２８】
縦方向の拡大後、中間画像２０８は、Ｌ１＝Ｌ２となるまで長さＬ２すなわち頂部幅を（また、中間の各点ではその位置に応じて倍率を漸減的かつ比例的に変えて）拡大することによって横方向に拡大され、補正画像２２０が得られる。
【００２９】
第２の方法では、まず横方向の拡大が行われる。画像２０２は、Ｌ２がＬ１と等しくなるまで、各点の倍率を比例的かつ漸増的に変えながら拡大される。ここではＬ１を拡大の基準（等倍）領域として使用して横方向に拡大された中間画像２０９が得られる。横方向に拡張された中間画像２０９は、次に基部から頂部まで倍率を漸増的かつ比例的に変えながら縦方向に拡大される。このとき各点の縦方向の倍率値は先の横方向の倍率と同じにする。かくして補正画像２２０が得られる。
【００３０】
図３は、ディジタルカメラ３００で実施可能な本発明に係る垂直線歪みを補正する装置を示す。ディジタルカメラ３００はカメラバック３０１を有する。カメラバック３０１には光学ビューファインダ３０２が設けられ、ユーザはこれを用いて撮像対象の物体の画像をプレビューする。また、カメラバック３０１にはＬＣＤパネル３０３も設けられる。本実施形態ではＬＣＤディスプレイを使用するが、本発明にしたがって任意の視覚ディスプレイが使用可能であることは当業者に理解されよう。現在好適な実施形態において、ＬＣＤディスプレイは、特願２００２−０１０５１２号に記載されている操作可能なディスプレイである。カメラバック３０１に設けたＬＣＤパネル３０３にはコマンドキー３０４が関連付けられ、ユーザはこれを用いて本明細書に記載される画像補正のコマンドを入力することができる。
【００３１】
図３に示すように、被写体の歪んだ画像３０５が表示される。また、ディスプレイ３０３は、拡大方向を示す表示アイコン３０６と、縦中央軸アイコン３０７と、拡大三角アイコン３０８もユーザに提示する。拡大三角アイコン３０８は、上に向かって大きくなるように設定される漸増的拡大を示す。縦中央軸アイコン３０７は、画像セグメント（すなわち画素）がこれらセグメントを縦中央軸から外側に移動することによって拡大される拡大の中心を表している。縦中央軸アイコン３０７は横方向の拡大であることあるいはそこが画像拡大の対称の中心になっていることを表す向きになっているように図示されるが、この軸を他の方向及び位置にして別の方向の歪みを補償してもよい。
【００３２】
ＬＣＤパネル３０３は、カメラが傾いておらず水平に保たれているかどうかをユーザが判定できるように、錘線表示３０９も表示することができる。錘線表示３０９は、水平面に対する傾き、すなわち前後左右の傾き、に対して応答する。
【００３３】
ディジタルカメラ３００におけるＬＣＤディスプレイ３０３の用途の１つは、図４Ａ〜図４Ｄに示す画像の歪みを補正することである。図４Ａは、歪んだ画像３０５及び拡大方向表示子３０６ならびに縦中央軸アイコン３０７及び三角アイコン３０８を設けたＬＣＤディスプレイ３０３を示す。ＬＣＤディスプレイ３０３はまた拡大比４０１も表示している。ここでは、歪んだ画像３０５についての拡大比は１：１に設定されている。拡大比４０１は、画像３０５あるいは三角アイコン３０８の領域の上下の間の比を表している。図４Ｂは、横方向の拡大を行って垂直線歪みを適切な方向に配置した後の結像した被写体３０５を示す。図４Ｂに示すように、三角アイコン３０８は、水平方向への画像拡大に比例して拡大している。拡大指示子４０１ｂは、横方向の補正後の拡大比を示す。図４Ｃに示すように、ここにおいてＬＣＤパネル３０３は、勾配付きのグレイスケールにより縦方向での画像の相対的な縮小率を表示できる陰付きボックス４１０を表示する（ここでは簡略化のため、勾配付きのグレイスケールは図中に示していない）。拡大指示アイコン３０６ｃは、どの方向に画像を拡張するかをユーザに知らせる。図４Ｄに示すように、画像の拡大により、画像がディスプレイの上端からはみ出てしまう場合があるが、グレイスケールが均一になっているとき、補正済みの画像が実現されている。ユーザは次に、建造物の頂部を含む、ユーザが関心を寄せる画像の部分をスクロールして取り込むことができる。あるいは、画像をリサイズしてＬＣＤパネル３０３の閲覧可能画像領域の範囲に入るようにしてもよい。
【００３４】
垂直線歪みを補正する代替方法を図５Ａ〜図５Ｃに示す。図５Ａに示すように、ＬＣＤパネル３０３は歪んだ画像３０５を表示している。本発明のこの実施形態によれば、縦中央軸５０３がユーザにより生成または選択される。また、底部垂直点５０４が識別または選択される。同様に、頂部垂直点５０５が識別または選択される。上記２点により本システムは三角の陰影領域５０６を生成し、これを用いて、画像の補正に必要な漸進的拡大を計算する。図５Ａに示すように、垂直線５０３から底部垂直点５０４までの距離には１：１の比が割り当てられる。縦歪みの補正に必要とされるところの、縦軸５０３から点５０５を移動するための比が計算される。本例ではこの比は１：８である。図５Ｂに示すように、この情報を使用して歪んだ画素密度５０８を表示することができる。画像を補正するためには、この画素密度を均一にする必要がある。始点５０７は画素密度のベースラインである。図５Ｃに示すように、画素密度により示されるように画像を移動した結果、均一な画素シェーディング５０８ｂが得られ（ここでは具体的なシェーディングは図面上で省略されている）、補正済みの画像５１０が得られる。
【００３５】
図６に示すように、その動作に当たって、撮像される被写体６０１からの光は撮像装置のレンズ系６０２を経由し、歪んだ画像６０３を撮像表面６０４上に形成する。歪んだ画像６０３はプロセッサ６０５に送られて補正される。本実施形態において、撮像装置は、ユーザがカメラの傾きを識別して場合によっては予め補正することが可能な垂直傾きセンサ６０６を含む。あるいは、プロセッサ６０５は、カメラの傾き及び被写体６０１への距離に応答してこのような歪みを自動的に補正するようにしてもよい。本特徴によれば、被写体への距離はカメラレンズフォーカシング系により得られる。
【００３６】
画像６０３は、ユーザがディスプレイ６０７上で見ることができる。ユーザは、入力６０８を用いて画像６０３の歪みを補正することができる。補正された画像は、パーソナルコンピュータ等の出力６０９に送られる。あるいは、補正画像は、たとえばＪＰＥＧ等情報の損失のある圧縮アルゴリズムを用いて圧縮され、好ましくは装置自体に内蔵される不揮発性記憶装置である記憶装置６１０に送られる。
【００３７】
以上により、本発明の変更及び変形は当業者にとって明らかとなるはずである。これらの変更及び変形は、本明細書の冒頭に記載した特許請求の範囲により定義される発明の範囲及び精神に包含されるものとする。
【００３８】
本発明及びその利点を詳細に説明してきたが、本明細書の冒頭に記載した特許請求の範囲により定義される発明の精神及び範囲から逸脱することなく各種の変更、代用及び変形を行ってもよいことは自明である。さらに、本願の範囲は本明細書に記載される製法、機械、製造、物質の組成、手段、方法及び工程の特定の実施形態に制限されることを意図するものではない。本発明の開示から、本明細書に記載される対応する実施形態と略同一の機能を果たし、または略同一の結果を実現する現在既存のまたは将来開発される製法、機械、製造、物質の組成、手段、方法または工程は、当業者により本発明にしたがって利用可能であろう。したがって、本明細の冒頭に記載の特許請求の範囲は、かかる製法、機械、製造、物質の組成、手段、方法または工程をその範囲に包含することを意図するものである。
【００３９】
以下に本発明の実施態様の例を列挙する。
【００４０】
〔実施態様１〕ディジタルカメラ（３００）であって、捕獲されるべき光学画像（６０１）のディジタル表現（６０３）を提供する画像センサ（６０４）と、前記光学画像の前記ディジタル表現を選択的に処理して、前記光学画像の線形収束歪み（１０２）を補償するように構成されるプロセッサ（６０５）と、
を備えるディジタルカメラ。
【００４１】
〔実施態様２〕前記プロセッサ（６０５）は、第１軸に沿って前記第１軸に直交する第２軸に対して前記光学画像（６０１）の前記ディジタル表現（６０３）に変動倍率を適用するように構成されることを特徴とする実施態様１記載のディジタルカメラ。
【００４２】
〔実施態様３〕前記第１軸及び前記第２軸は、前記光学画像が形成された前記画像センサ（６０４）の撮像表面により定義される面に対応することを特徴とする実施態様２記載のディジタルカメラ。
【００４３】
〔実施態様４〕前記倍率の手動制御を提供するように構成される入力デバイス（６０８）を備えることを特徴とする実施態様２記載のディジタルカメラ。
【００４４】
〔実施態様５〕前記入力デバイス（６０８）は前記第１軸及び前記第２軸の手動による位置決めを提供するように構成されることを特徴とする実施態様４記載のディジタルカメラ。
【００４５】
〔実施態様６〕前記プロセッサ（６０５）による処理の前後に前記光学画像を表示するディスプレイ（６０７）を備えることを特徴とする実施態様４記載のディジタルカメラ。
【００４６】
〔実施態様７〕前記プロセッサ（６０５）は、可変アスペクト比を前記光学画像（６０３）に適用して、前記画像センサ（６０４）上に形成される前記光学画像の前記線形収束歪み（１０２）を補償するように構成されることを特徴とする実施態様１記載のディジタルカメラ。
【００４７】
〔実施態様８〕前記線形収束歪みは、前記光学センサ（６０４）の撮像表面を前記光学画像の少なくとも一部に対応する被写体に対して配向することによって発生することを特徴とする実施態様７記載のディジタルカメラ。
【００４８】
〔実施態様９〕前記プロセッサ（６０５）は、
基線に対する線形歪み値を決定し、
前記ディジタル表現を二次元で漸進的に拡大して見た目の線形収束を低減するように構成される
ことを特徴とする実施態様１記載のディジタルカメラ。
【００４９】
〔実施態様１０〕前記プロセッサ（６０５）は、前記光学画像において識別される線分の縦線からのずれを識別し、これに応じて線形歪み値を決定するように構成されることを特徴とする実施態様９記載のディジタルカメラ。
【図面の簡単な説明】
【図１】被写体である建造物、縦収束歪みを呈する建造物の画像及びディジタル補正された画像を示す図である。
【図２】ディジタルカメラのＣＣＤ上に形成される被写体である建造物及びその歪んだ画像と、２つの代替の補正経路を示す図である。
【図３】構築された画像及びユーザが本発明に従って歪みを補償できるようにする支援手段を表示するＬＣＤディスプレイを有するディジタルカメラの平面図である。
【図４Ａ】歪み補償の過程を示す図である。
【図４Ｂ】歪み補償の過程を示す図である。
【図４Ｃ】歪み補償の過程を示す図である。
【図４Ｄ】歪み補償の過程を示す図である。
【図５Ａ】歪み補償の過程を示す図である。
【図５Ｂ】歪み補償の過程を示す図である。
【図５Ｃ】歪み補償の過程を示す図である。
【図６】垂直線歪みを選択的に検出して補償する本発明による装置のブロック図である。
【符号の説明】
１０１：被写体である建造物
１０２：歪んだ画像
１０３：補正された画像
３００：ディジタルカメラ
６０１：被写体
６０２：レンズ系
６０３：歪んだ画像
６０４：撮像表面
６０５：プロセッサ
６０７：ディスプレイ
６０８：入力
６０９：出力
６１０：記憶装置
【図１】
0004233797.tif 000002
【図２】
0004233797.tif 000003
【図３】
0004233797.tif 000004
【図４Ａ】
0004233797.tif 000005
【図４Ｂ】
0004233797.tif 000006
【図４Ｃ】
0004233797.tif 000007
【図４Ｄ】
0004233797.tif 000008
【図５Ａ】
0004233797.tif 000009
【図５Ｂ】
0004233797.tif 000010
【図５Ｃ】
0004233797.tif 000011
【図６】
0004233797.tif 000012